(57)【要約】  板状の物品（１４）のためのチューブ状袋包装（１０）は、シート状の包装材料（１２）からなり、包装前面（１６）と、長手方向シールシーム（２０）を有する包装背面（１８）と、長手方向シールシーム（２０）に対して横方向に互いに間隔を置いて配置される２つの横方向シールシーム（２２，２４）と、包装を開放するための裂開補助手段としての、包装前面（１６）に長手方向シールシーム（２０）に対して平行に延びる線状又はストリップ状の少なくとも１つの分離領域とを有している。包装材料（１２）は、分離領域において長手方向シールシーム（２０）に対して平行に切断され、オーバラップするように配置され、かつ少なくとも１つの分離可能な長手方向シーム（２６）を形成するようにオーバラップ領域において解離可能に結合されている。
2012515689.tif 000002
【特許請求の範囲】
【請求項１】
板状の物品（１４）、特に板チョコレートのためのチューブ状袋包装（１０，１１０，２１０，３１０）であって、シート状の包装材料（１２）からなり、包装前面（１６）と、長手方向シールシーム（２０）を有する包装背面（１８）と、前記長手方向シールシーム（２０）に対して横方向に互いに間隔を置いて配置される２つの横方向シールシーム（２２，２４）と、包装を開放するための裂開補助手段としての、前記包装前面（１６）に前記長手方向シールシーム（２０）に対して平行に延びる線状又はストリップ状の少なくとも１つの分離領域とを備えるチューブ状袋包装（１０，１１０，２１０，３１０）において、
前記包装材料（１２）が、前記分離領域において前記長手方向シールシーム（２０）に対して平行に切断され、オーバラップするように配置され、かつ少なくとも１つの分離可能な長手方向シーム（２６，２６ａ，２６ｂ）を形成するようにオーバラップ領域において解離可能に結合されていることを特徴とする、チューブ状袋包装。
【請求項２】
前記分離可能な長手方向シーム（２６）が、裂開舌片（２８）を形成するように、前記包装材料（１２）の長手方向自由縁部（３０）に対して間隔を置いて配置されている、請求項１記載のチューブ状袋包装。
【請求項３】
前記裂開舌片（２８）が、ループ状に切断線を引いたことによりタブ状の把持舌片（２９）として形成されている、請求項１記載のチューブ状袋包装。
【請求項４】
前記分離可能な長手方向シーム（２６）が、縁部領域か、又は前記包装前面（１６）の縁部領域間の略中央を延びている、請求項１記載のチューブ状袋包装。
【請求項５】
前記包装前面（１６）の両縁部領域にそれぞれ１つの分離可能な長手方向シーム（２６ａ，２６ｂ）を備える２つの分離領域が、実質的に前記包装前面（１６）の全幅にわたって延在する、前記包装から解離可能な開放ラベル（１７）を形成するように配置されている、請求項１記載のチューブ状袋包装。
【請求項６】
少なくとも一方の横方向シールシーム（２２）に、シールされていない縁部域が、裂開舌片（２３）を形成するように配置されている、請求項５記載のチューブ状袋包装。
【請求項７】
前記包装前面（１６）の両縁部領域にそれぞれ１つの分離可能な長手方向シーム（２６ａ，２６ｂ）を備える２つの分離領域が、実質的に前記包装前面（１６）の全幅にわたって延在する、前記包装から部分的に解離可能な開放ラベル（１７′）を形成するように配置されており、該開放ラベル（１７′）を残りの包装から引き離すために、前記横方向シールシーム（２２，２４）のうちの一方の横方向シールシームの領域において、前記包装材料に、弱化線（２５）が前記横方向シールシーム（２２）に対して平行に配置されている、請求項１記載のチューブ状袋包装。
【請求項８】
請求項１記載のチューブ状袋包装を製造するための包装材ウェブを製造する方法において、
‐ストリップ状の包装材ウェブ（１１２）を連続的に包装材料の側方の引き込みにより前記包装材ウェブの平面から第１の角度で変向させるとともに、間隔（ｓ）を置いて第２の角度で逆向きに、前記包装材ウェブの平面に対して平行な平面内に変向させ、
‐前記包装材ウェブ（１１２）を第１の平面内において、第１の包装材ウェブストリップ（１１２ａ）と、該第１の包装材ウェブストリップ（１１２ａ）の少なくとも一方側に位置する少なくとも１つの側方の包装材ウェブストリップ（１１２ｂ，１１２ｃ）とを形成するように変向手前で切断し、
‐前記少なくとも１つの側方の包装材ウェブストリップ（１１２ｂ，１１２ｃ）の、前記包装材料の２度の変向により生じる変向された部分を第２の平面内に移動させ、これにより、前記第１の包装材ウェブストリップ（１１２ａ）と、前記少なくとも１つの側方の包装材ウェブストリップ（１１２ｂ，１１２ｃ）との狭幅のオーバラップが生じるようにし、かつ
‐前記包装材ウェブストリップ（１１２ａ，１１２ｂ，１１２ｃ）をオーバラップ領域において接着剤又はシール層を介して、分離可能な長手方向シーム（２６ａ，２６ｂ）を形成するように分離可能に結合する
ことを特徴とする、チューブ状袋包装を製造するための包装材ウェブを製造する方法。
【請求項９】
‐前記包装材ウェブ（１１２）を前記第１の平面内において、中央の包装材ウェブストリップ（１１２ａ）と、該中央の包装材ウェブストリップ（１１２ａ）の両側に位置する２つの側方の包装材ウェブストリップ（１１２ｂ，１１２ｃ）とを形成するように変向手前で切断し、かつ
‐前記側方の包装材ウェブストリップ（１１２ｂ，１１２ｃ）の、前記包装材料の２度の変向により生じる変向された部分を前記第２の平面内に移動させ、これにより、前記中央の包装材ウェブストリップ（１１２ａ）と、前記側方の包装材ウェブストリップ（１１２ｂ，１１２ｃ）との狭幅のオーバラップが生じるようにする、請求項８記載の方法。
【請求項１０】
請求項１記載のチューブ状袋包装を製造するための包装材ウェブを製造する方法において、
‐ストリップ状の包装材ウェブ（１１２）を連続的に包装材料の側方の引き込みにより変向させて、前記包装材ウェブの平面から垂直に突出する少なくとも１つの折り目を形成し、
‐前記包装材ウェブ（１１２）を前記折り目において、第１の包装材ウェブストリップ（１１２ａ）と、該第１の包装材ウェブストリップ（１１２ａ）の少なくとも一方側に位置する少なくとも１つの側方の包装材ウェブストリップ（１１２ｂ）とを形成するように切断し、
‐前記折り目の切断により前記包装材料から生じる、前記包装材ウェブの平面から突出した折り目の部分を、前記包装材ウェブの平面内に戻し案内し、これにより、前記第１の包装材ウェブストリップ（１１２ａ）と、前記少なくとも１つの側方の包装材ウェブストリップ（１１２ｂ）との狭幅のオーバラップが生じるようにし、かつ
‐前記包装材ウェブストリップ（１１２ａ，１１２ｂ）をオーバラップ領域において接着剤又はシール層を介して、分離可能な長手方向シーム（２６ａ，２６ｂ）を形成するように分離可能に結合する、
ことを特徴とする、チューブ状袋包装を製造するための包装ウェブを製造する方法。
【発明の詳細な説明】
【技術分野】
【０００１】
技術分野
本発明は、板状の物品、特に板チョコレートのためのチューブ状袋包装であって、シート状の包装材料からなり、包装前面と、長手方向シールシームを有する包装背面と、長手方向シールシームに対して横方向に互いに間隔を置いて配置される２つの横方向シールシームと、包装を開放するための開放補助手段としての、包装前面に長手方向シールシームに対して平行に延びる線状又はストリップ状の少なくとも１つの分離領域とを備えるチューブ状袋包装に関する。本発明の範囲内には、チューブ状袋包装を続いて製造するための包装材の製造のために適した方法も含まれる。
【０００２】
従来技術
ドイツ連邦共和国特許出願公開第２４５８４６２号明細書において、リブにおいて割ることができる板チョコレートのためのチューブ状袋包装が公知である。包装下面には、板チョコレートの第１の目標破断箇所に沿って、長手方向シールシームが配置されている。長手方向シールシームの破断は、目標破断箇所に沿って板チョコレートを割ることにより行われる。長手方向シールシームを分離するため、ひいては包装を開放するために必要なシールの保持力を超えるために、板チョコレートを割る際のてこ作用が利用される。
【０００３】
ドイツ連邦共和国特許出願公開第２６５８６３１号明細書において、包装内で目標破断箇所に沿って割りたい板チョコレートのための包装が公知である。包装下面に配置された閉鎖シームには、閉鎖シームをより容易に分離するために、包装材料の、閉鎖シームを形成する面上に部分的にのみ塗布された常温接着剤が施されている。
【０００４】
前述の両包装における欠点は、一般に製品の魅力的でない下面が露わになるという点にある。さらに、長手方向シールシームの裂開は、製品がてことして利用される場合にのみ可能である。このことは、製品を割ることを必要とする。
【０００５】
ドイツ連邦共和国特許出願公開第３１１５１４４号明細書において、開放補助手段として長手方向で延びるノッチを備える側方に配置された長手方向シールシームを備える、板チョコレートのためのシート包装が公知である。包装を開放するために、非魅力的な外観の広幅の舌片の形で包装から突出した長手方向シールシームが、残りの包装から、目標破断箇所を形成するノッチに沿って裂開される。
【０００６】
国際公開第８８／００５６２号パンフレットにおいて、包装背面に長手方向シールシームを備える板チョコレートのためのチューブ状袋包装が公知である。包装前面には、対向する縁部領域に、長手方向シールシームに対して平行に延びる側方のシールシームが、包装材料に配置されている。線状の目標破断箇所が裂開領域を画成している。横方向シールシームのシールされていない縁部域を介して、包装前面を形成する包装材料は、把持され、包装を開放するために、両目標破断箇所間で板チョコレートの幅にわたって延在するストリップとして、残りの包装から引き離される。包装前面の開放により、魅力的な製品上面が呈され、かつ包装の開放は、容易となる。しかし、この包装の欠点は、両側方のシールシームが３重に折り返されなければならないので、材料消費量が高いことにある。
【０００７】
米国特許第２００５２７６５２５号明細書において、包装シートに加工されオーバラップするようにシールされたラベルの形の再閉鎖システムを備えるチューブ状袋包装が公知である。僅かなオーバラップを有するラベルの取り付けにより、僅かな材料消費量の増大が生じるにすぎない。ラベルは、既にシートに加工してあってもよいし、包装機械で初めて取り付けられてもよい。この包装の欠点は、開放を包装の全面で行うことできず、これにより板状の製品を取り出すことができない点、及び前製造されるラベルのコストが高い点にある。
【０００８】
発明の概要
本発明の課題は、従来技術で挙げた欠点を解消した、板状の製品用の包装を提供することである。特に、包装は省材料に製造可能であり、包装前面の全幅にわたる包装の簡単な開放が可能であることが望ましい。
【０００９】
本発明の別の課題は、包装を製造するために適した方法を提供することである。
【００１０】
この課題を解決するために本発明では、冒頭で述べた形式のチューブ状袋包装、すなわち、板状の物品、特に板チョコレートのためのチューブ状袋包装であって、シート状の包装材料からなり、包装前面と、長手方向シールシームを有する包装背面と、長手方向シールシームに対して横方向に互いに間隔を置いて配置される２つの横方向シールシームと、包装を開放するための裂開補助手段としての、包装前面に長手方向シールシームに対して平行に延びる線状又はストリップ状の少なくとも１つの分離領域とを備えるチューブ状袋包装において、包装材料が、分離領域において長手方向シールシームに対して平行に切断され、オーバラップするように配置され、かつ少なくとも１つの分離可能な長手方向シームを形成するようにオーバラップ領域において解離可能に結合されているようにした。
【００１１】
分離可能な長手方向シームは、縁部領域か、又は縁部領域間の略中央を延びていてよい。好ましくは、分離可能な長手方向シームが、裂開舌片を形成するように、包装材料の長手方向自由縁部に対して間隔を置いて配置されている。裂開舌片は、ループ状に切断線を引いたことによりタブ状の把持舌片として形成されていてよい。
【００１２】
別の有利なチューブ状袋包装において、包装前面の両縁部領域にそれぞれ１つの分離可能な長手方向シームを備える２つの分離領域が、実質的に包装前面の全幅にわたって延在する、包装から解離可能な開放ラベルを形成するように配置されている。好ましくは、この場合、少なくとも一方の横方向シールシームに、シールされていない縁部域が、裂開舌片を形成するように配置されている。
【００１３】
別の有利なチューブ状袋包装において、包装前面の両縁部領域にそれぞれ１つの分離可能な長手方向シームを備える２つの分離領域が、実質的に包装前面の全幅にわたって延在する、包装から部分的に解離可能な開放ラベルを形成するように配置されており、開放ラベルを残りの包装から引き離すために、横方向シールシームのうちの一方の横方向シールシームの領域において、包装材料に、弱化線が横方向シールシームに対して平行に配置されている。
【００１４】
本発明に係るチューブ状袋包装を製造するために適した第１の方法は、ストリップ状の包装材ウェブを連続的に包装材料の側方の引き込みにより包装材ウェブの平面から第１の角度で変向させるとともに、間隔を置いて第２の角度で逆向きに、包装材ウェブの平面に対して平行な平面内に変向させ、包装材ウェブを第１の平面内において、第１の包装材ウェブストリップと、第１の包装材ウェブストリップの少なくとも一方側に位置する少なくとも１つの側方の包装材ウェブストリップとを形成するように変向手前で切断し、少なくとも１つの側方の包装材ウェブストリップの、包装材料の２度の変向により生じる変向された部分を第２の平面内に移動させ、これにより、第１の包装材ウェブストリップと、少なくとも１つの側方の包装材ウェブストリップとの狭幅のオーバラップが生じるようにし、かつ包装材ウェブストリップをオーバラップ領域において接着剤又はシール層を介して、分離可能な長手方向シームを形成するように分離可能に結合することを特徴とする。
【００１５】
有利な形態では、包装材ウェブを第１の平面内において、中央の包装材ウェブストリップと、中央の包装材ウェブストリップの両側に位置する２つの側方の包装材ウェブストリップとを形成するように変向手前で切断し、かつ側方の包装材ウェブストリップの、包装材料の２度の変向により生じる変向された部分を第２の平面内に移動させ、これにより、中央の包装材ウェブストリップと、側方の包装材ウェブストリップとの狭幅のオーバラップが生じるようにする。
【００１６】
本発明に係るチューブ状袋包装を製造するために適した第２の方法は、ストリップ状の包装材ウェブを連続的に包装材料の側方の引き込みにより変向させて、包装材ウェブの平面から垂直に突出する少なくとも１つの折り目を形成し、包装材ウェブを折り目において、第１の包装材ウェブストリップと、第１の包装材ウェブストリップの少なくとも一方側に位置する少なくとも１つの側方の包装材ウェブストリップとを形成するように切断し、折り目の切断により包装材料から生じる、包装材ウェブの平面から突出した折り目の部分を、包装材ウェブの平面内に戻し案内し、これにより、第１の包装材ウェブストリップと、少なくとも１つの側方の包装材ウェブストリップとの狭幅のオーバラップが生じるようにし、かつ包装材ウェブストリップをオーバラップ領域において接着剤又はシール層を介して、分離可能な長手方向シームを形成するように分離可能に結合することを特徴とする。
【００１７】
本発明に係る包装により特に生じる利点は、
‐板状の製品のための包装の開放が容易である点、
‐包装を開放する際、製品の魅力的な上面が露出される点。
‐製品が開放時に損傷を受けない点、
‐包装の上面が全面的に形成される点（邪魔なラベルがない点）、
‐材料消費量が開放補助手段なしの包装と比較しても僅かに高いだけである点、
‐複雑な材料構造が不要である点（原材料がモノシートであってもよい点）、
‐「ホットシール」材料にも適している点（例えば「ピールシール」を形成するため）、
‐開放補助手段が、特別に開放機構を備えた高価なシートを使用する必要なしに、連続的にインラインで製造される点、
‐オーバラップシームを形成するためのモジュールが追加された既存の標準チューブ状袋製袋機械が使用可能である点、
‐包装が極めて高い速度で製造可能である点（コールドシール）、
‐二次包装の変更が不要である点、
‐開放舌片あるいは開放機構を探す必要がない点、
‐包装が適当なシール層又は付加的な閉鎖ストリップにより繰り返し再閉鎖可能に構成可能である点、
‐開放舌片が加工可能である点、
‐チューブ状袋製袋機械が簡単な変更により開放補助手段を有する包装又は開放補助手段を有しない包装を製造可能である点、
‐オーバラップシールを製造するためのモジュールを製袋機械に設置する程でもない小さな生産ロットのために、提案される方法の代わりに、同じ包装が、既に加工されたラップシール／加工された開放補助手段を備えるシートロールにより製造可能である点、
にある。
【００１８】
本発明の別の利点、特徴及び詳細は、有利な実施の形態の以下の説明から、かつ説明のためだけに役立ち、限定の意図はない図面から看取される。
【図面の簡単な説明】
【００１９】
【図１】チューブ状袋包装の第１の実施の形態の概略横断面図である。
【図２】チューブ状袋包装の第２の実施の形態の概略横断面図である。
【図３】付加的な開放舌片を備える図２の実施の形態の概略平面図である。
【図４】チューブ状袋包装の第３の実施の形態の概略横断面図である。
【図５】チューブ状袋包装の第４の実施の形態の概略横断面図である。
【図６】部分的なラベルを備える図５の実施の形態の概略平面図である。
【図７】チューブ状袋包装の第５の実施の形態の概略横断面図である。
【図８】図７の実施の形態の概略縦断面図である。
【図９】チューブ状袋包装を製造するための包装材ウェブを製造する方法の第１の実施の形態を示す概略図である。
【図１０】チューブ状袋包装を製造するための包装材ウェブを製造する方法の第２の実施の形態を示す概略図である（ヒートシール）。
【図１１】チューブ状袋包装を製造するための包装材ウェブを製造する方法の第３の実施の形態を示す概略図である。
【図１２】チューブ状袋包装を製造するための包装材ウェブを製造する方法の第４の実施の形態を示す概略図である。
【図１３】チューブ状袋包装を製造するための包装材ウェブを製造する方法の第５の実施の形態を示す概略図である。
【００２０】
有利な実施の形態の説明
フレキシブルなシート状の包装材料１２からなる図１に示すチューブ状袋包装１０あるいはピロータイプ包装は、板状の物品１４、例えば板チョコレートを包囲し、包装前面１６及び包装背面１８を形成している。包装背面１８には、技術的な概念「フィンシール」として公知のフィンの形の長手方向シールシーム２０が設けられている。長手方向シールシーム２０に対して横方向に、チューブ状袋包装は、図３に示すように、両端において各々１つの横方向シールシーム２２，２４を介して閉鎖されている。包装前面１６には、一方の側方の縁部領域に、長手方向シールシーム２０に対して平行に、付加的な分離可能な長手方向シーム２６が配置されている。包装材料は、この領域において切断され、オーバラップした状態でシールされている。このオーバラップした状態でなされるシールは、技術的な概念「ラップシール」として公知である。分離可能な長手方向シーム２６は、包装材料１２の長手方向自由縁部３０に対して間隔を置いて配置されて、裂開舌片２８あるいは開封舌片を形成している。裂開舌片２８は、包装１０の全長にわたって延在している。その結果、裂開舌片２８を引っ張って、分離可能な長手方向シーム２６を分離することにより、包装１０を裂開すると、包装前面１６全体が開放あるいは開封される。
【００２１】
図２に示すチューブ状袋包装１１０は、図１に示した実施の形態とは、裂開舌片２８を備える分離可能な長手方向シーム２６が包装前面１６の略長手方向中央に配置されている点においてのみ異なる。この場合も、裂開舌片２８の引っ張りによる分離可能な長手方向シーム２６の分離の際に、包装前面１６全体にわたる包装の開放が生じる。
【００２２】
図３に示すチューブ状袋包装１１０は、図２に示した実施の形態とは、裂開舌片２８が、ループ状に切断線を引いたことによりタブ状の把持舌片２９として形成されている点においてのみ異なる。
【００２３】
図４に示すチューブ状袋包装２１０は、図１に示した実施の形態とは、裂開舌片２８を備える分離可能な長手方向シーム２６がフィンシールとして形成されている点においてのみ異なる。この場合も、裂開舌片２８の引っ張りによる分離可能な長手方向シーム２６の分離の際に、包装前面１６全体にわたる包装の開放が生じる。
【００２４】
図５に示すチューブ状袋包装２１０′は、図４に示した実施の形態とは、包装前面１６の両縁部領域にそれぞれ１つの分離可能な長手方向シーム２６ａ，２６ｂを備える２つの分離領域が配置されて、実質的に包装前面１６の全幅にわたって延在する、包装から部分的に解離可能な開放ラベル１７′を形成している点において異なる。図６から看取可能であるように、両分離可能な長手方向シーム２６ａ，２６ｂを分離しつつ、残りの包装から開放ラベル１７′を引き離すために、一方の横方向シールシーム２２，２４の領域において、包装材料に弱化線２５が、横方向シールシーム２２に対して平行に配置されている。この弱化線２５において、包装は開裂し、部分的な開放ラベル１７′を残りの包装から引き離すことができる。
【００２５】
チューブ状袋包装３１０の図７に示す実施の形態では、包装前面１６の両縁部領域にそれぞれ１つの分離可能な長手方向シーム２６ａ，２６ｂを備える２つの分離領域が配置されて、実質的に包装前面１６の全幅にわたって延在する、包装から解離可能な開放ラベル１７を形成している。両分離可能な長手方向シーム２６ａ，２６ｂを分離しつつ、残りの包装から開放ラベル１７を引き離すために、一方の横方向シールシーム２２，２４には、シールされていな縁部領域が配置されて、裂開舌片２３を形成している（図８）。
【００２６】
図７に示したチューブ状袋包装３１０を製造するための、２つの付加的な分離可能な長手方向シーム２６ａ，２６ｂを備える包装材料１２を連続的に製造する、図９に５つの工程ａ〜ｅで示す方法では、平らなフレキシブルな包装材ウェブ１１２を、図示しない蓄えロールから繰り出し（工程ａ）、例えば２つのローラ対１１４ａ，１１４ｂからなる折り曲げ装置において連続的に、包装材料の側方の引き込みによって、第１の角度で第１の平面から変向させるとともに、第１の平面に対して間隔ｓを置いて第２の角度で逆方向に、第１の平面に対して平行な第２の平面内に変向させる（工程ｂ）。包装材ウェブ１１２は第１の平面内において、中央の包装材ウェブストリップ１１２ａと、この中央の包装材ストリップ１１２ａの両側に位置する２つの側方の包装材ウェブストリップ１１２ｂ，１１２ｃとを形成するように、変向点の手前で例えば切断ホイール１１６ａ，１１６ｂにより切断される（工程ｃ）。シート状の包装材料の剛性の結果、上述の平面の、包装材料の２度の変向により生じた間隔ｓに実質的に等しい、側方の包装材ウェブストリップ１１２ｂの変向されていた部分が、第２の平面内へと弾発する。これにより、中央の包装材ウェブストリップ１１２ａと側方の包装材ウェブストリップ１１２ｂとの狭幅のオーバラップが生じる（工程ｄ）。オーバラップ領域で包装材ウェブストリップ１１２ａ，１１２ｂを圧着することにより、包装材ウェブストリップ１１２ａ，１１２ｂは、片面に被着された常温接着剤ストリップ１１８ａ，１１８ｂを介して分離可能にシールされて、分離可能な長手方向シーム２６ａ，２６ｂを形成する。常温接着剤ストリップ１１８ａ，１１８ｂは、既に、ロール製品として存在する包装材ウェブ１１２上に設けられていてもよいし、場合によっては既に変向された包装材ウェブ１１２の切断の前に包装材ウェブ１１２上に被着されてもよい。
【００２７】
図７に示したチューブ状袋包装３１０を製造するための、２つの付加的な分離可能な長手方向シーム２６ａ，２６ｂを備える包装材料１２を連続的に製造する、図１０に４つの工程ａ〜ｄで示す方法は、図９に示した方法とは、シール媒体の塗布の形態についてのみ異なる。シール媒体は、本実施の形態では、既に、全面的なヒートシール層として包装材の片面に設けられている。シールは、加熱可能なシール工具、例えばシールロール対１２０ａ，１２０ｂの形のシール工具で行われる（工程ｄ）。剥離可能なシールが考慮される。
【００２８】
図７に示したチューブ状袋包装３１０を製造するための、２つの付加的な分離可能な長手方向シーム２６ａ，２６ｂを備える包装材料１２を連続的に製造する、図１１に５つの工程ａ〜ｅで示す方法は、図９に示した方法とは、やはり、シール媒体の塗布の形態についてのみ異なる。シール媒体は、本実施の形態では、切断工程（工程ｃ）の後に、ホットメルトストリップの形態で噴霧塗布される（工程ｄ）。オーバラップ領域での包装材ウェブストリップ１１２ａ，１１２ｂの圧着により、包装材ウェブストリップ１１２ａ，１１２ｂは、片面に塗布されたホットメルトストリップ１１８ａ，１１８ｂを介して分離可能にシールされて、分離可能な長手方向シーム２６ａ，２６ｂを形成する（工程ｅ）。
【００２９】
図１に示したチューブ状袋包装１０を製造するための、１つの付加的な分離可能な長手方向シーム２６ａを備える包装材料１２を連続的に製造する、図１２及び図１３に５つの工程ａ〜ｅで示す方法は、図１１に示した方法とは、ストリップ状の包装材ウェブ１１２が連続的に包装材料の側方の引き込みにより変向されて、包装材ウェブの平面から垂直に突出した折り目１２２を形成し（工程ｂ）、包装材ウェブ１１２が折り目１２２において、第１の包装材ウェブストリップ１１２ａと、第１の包装材ウェブストリップ１１２ａの片側に位置する側方の包装材ウェブストリップ１１２ｂとを形成するように切断される（工程ｃ）点において異なる。折り目１２２の、折り目１２２の切断により包装材料から生じる、包装材ウェブの平面から突出していた部分は、包装材ウェブの平面内に戻し案内される。これにより、第１の包装材ウェブストリップ１１２ａと側方の包装材ウェブストリップ１１２ｂとの狭幅のオーバラップが生じる。図１２に示した方法と図１３に示した方法とは、折り目１２２が形成され切断される包装材ウェブの側が異なるだけである。
【００３０】
有利には、シーム、特に長手方向シーム（一シール）が超音波でシール可能である。これにより、一方では、長手方向シームがより狭幅に構成されることにより、材料消費量を減少させることができる。他方では、製品やシートへの入熱が軽減される。これにより、シートが変形する危険は低下する。さらにデザインは、開放のために必要とされない長手方向シームが外観にあまり現れない点において改善される。他のシームも超音波によりシールされてもよい。
【図１】
2012515689.tif 000003
【図２】
2012515689.tif 000004
【図３】
2012515689.tif 000005
【図４】
2012515689.tif 000006
【図５】
2012515689.tif 000007
【図６】
2012515689.tif 000008
【図７】
2012515689.tif 000009
【図８】
2012515689.tif 000010
【図９】
2012515689.tif 000011
【図１０】
2012515689.tif 000012
【図１１】
2012515689.tif 000013
【図１２】
2012515689.tif 000014
【図１３】
2012515689.tif 000015
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
板状の物品（１４）のためのチューブ状袋包装（１０，１１０，２１０，３１０）であって、シート状の包装材料（１２）からなり、包装前面（１６）と、長手方向シールシーム（２０）を有する包装背面（１８）と、前記長手方向シールシーム（２０）に対して横方向に互いに間隔を置いて配置される２つの横方向シールシーム（２２，２４）と、包装を開放するための裂開補助手段としての、前記包装前面（１６）に前記長手方向シールシーム（２０）に対して平行に延びる線状又はストリップ状の少なくとも１つの分離領域とを備えるチューブ状袋包装（１０，１１０，２１０，３１０）において、
前記包装材料（１２）が、前記分離領域において前記長手方向シールシーム（２０）に対して平行に切断され、オーバラップするように配置され、かつ少なくとも１つの分離可能な長手方向シーム（２６，２６ａ，２６ｂ）を形成するようにオーバラップ領域において解離可能に結合されていることを特徴とする、チューブ状袋包装。
【請求項２】
前記分離可能な長手方向シーム（２６）が、裂開舌片（２８）を形成するように、前記包装材料（１２）の長手方向自由縁部（３０）に対して間隔を置いて配置されている、請求項１記載のチューブ状袋包装。
【請求項３】
前記裂開舌片（２８）が、ループ状に切断線を引いたことによりタブ状の把持舌片（２９）として形成されている、請求項１記載のチューブ状袋包装。
【請求項４】
前記分離可能な長手方向シーム（２６）が、縁部領域か、又は前記包装前面（１６）の縁部領域間の略中央を延びている、請求項１記載のチューブ状袋包装。
【請求項５】
前記包装前面（１６）の両縁部領域にそれぞれ１つの分離可能な長手方向シーム（２６ａ，２６ｂ）を備える２つの分離領域が、前記包装前面（１６）の全幅にわたって延在する、前記包装から解離可能な開放ラベル（１７）を形成するように配置されている、請求項１記載のチューブ状袋包装。
【請求項６】
少なくとも一方の横方向シールシーム（２２）に、シールされていない縁部域が、裂開舌片（２３）を形成するように配置されている、請求項５記載のチューブ状袋包装。
【請求項７】
前記包装前面（１６）の両縁部領域にそれぞれ１つの分離可能な長手方向シーム（２６ａ，２６ｂ）を備える２つの分離領域が、前記包装前面（１６）の全幅にわたって延在する、前記包装から部分的に解離可能な開放ラベル（１７′）を形成するように配置されており、該開放ラベル（１７′）を残りの包装から引き離すために、前記横方向シールシーム（２２，２４）のうちの一方の横方向シールシームの領域において、前記包装材料に、弱化線（２５）が前記横方向シールシーム（２２）に対して平行に配置されている、請求項１記載のチューブ状袋包装。
【請求項８】
前記板状の物品（１４）は板チョコレートである、請求項１から７までのいずれか１項記載のチューブ状袋包装。
【請求項９】
請求項１記載のチューブ状袋包装を製造するための包装材ウェブを製造する方法において、
‐ストリップ状の包装材ウェブ（１１２）を連続的に包装材料の側方の引き込みにより前記包装材ウェブの平面から第１の角度で変向させるとともに、間隔（ｓ）を置いて第２の角度で逆向きに、前記包装材ウェブの平面に対して平行な平面内に変向させ、
‐前記包装材ウェブ（１１２）を第１の平面内において、第１の包装材ウェブストリップ（１１２ａ）と、該第１の包装材ウェブストリップ（１１２ａ）の少なくとも一方側に位置する少なくとも１つの側方の包装材ウェブストリップ（１１２ｂ，１１２ｃ）とを形成するように変向手前で切断し、
‐前記少なくとも１つの側方の包装材ウェブストリップ（１１２ｂ，１１２ｃ）の、前記包装材料の２度の変向により生じる変向された部分を第２の平面内に移動させ、これにより、前記第１の包装材ウェブストリップ（１１２ａ）と、前記少なくとも１つの側方の包装材ウェブストリップ（１１２ｂ，１１２ｃ）との狭幅のオーバラップが生じるようにし、かつ
‐前記包装材ウェブストリップ（１１２ａ，１１２ｂ，１１２ｃ）をオーバラップ領域において接着剤又はシール層を介して、分離可能な長手方向シーム（２６ａ，２６ｂ）を形成するように分離可能に結合する
ことを特徴とする、チューブ状袋包装を製造するための包装材ウェブを製造する方法。
【請求項１０】
‐前記包装材ウェブ（１１２）を前記第１の平面内において、中央の包装材ウェブストリップ（１１２ａ）と、該中央の包装材ウェブストリップ（１１２ａ）の両側に位置する２つの側方の包装材ウェブストリップ（１１２ｂ，１１２ｃ）とを形成するように変向手前で切断し、かつ
‐前記側方の包装材ウェブストリップ（１１２ｂ，１１２ｃ）の、前記包装材料の２度の変向により生じる変向された部分を前記第２の平面内に移動させ、これにより、前記中央の包装材ウェブストリップ（１１２ａ）と、前記側方の包装材ウェブストリップ（１１２ｂ，１１２ｃ）との狭幅のオーバラップが生じるようにする、請求項９記載の方法。
【請求項１１】
請求項１記載のチューブ状袋包装を製造するための包装材ウェブを製造する方法において、
‐ストリップ状の包装材ウェブ（１１２）を連続的に包装材料の側方の引き込みにより変向させて、前記包装材ウェブの平面から垂直に突出する少なくとも１つの折り目を形成し、
‐前記包装材ウェブ（１１２）を前記折り目において、第１の包装材ウェブストリップ（１１２ａ）と、該第１の包装材ウェブストリップ（１１２ａ）の少なくとも一方側に位置する少なくとも１つの側方の包装材ウェブストリップ（１１２ｂ）とを形成するように切断し、
‐前記折り目の切断により前記包装材料から生じる、前記包装材ウェブの平面から突出した折り目の部分を、前記包装材ウェブの平面内に戻し案内し、これにより、前記第１の包装材ウェブストリップ（１１２ａ）と、前記少なくとも１つの側方の包装材ウェブストリップ（１１２ｂ）との狭幅のオーバラップが生じるようにし、かつ
‐前記包装材ウェブストリップ（１１２ａ，１１２ｂ）をオーバラップ領域において接着剤又はシール層を介して、分離可能な長手方向シーム（２６ａ，２６ｂ）を形成するように分離可能に結合する、
ことを特徴とする、チューブ状袋包装を製造するための包装ウェブを製造する方法。
【国際調査報告】
2012515689.tif 000016
2012515689.tif 000017
2012515689.tif 000018
2012515689.tif 000019
2012515689.tif 000020
2012515689.tif 000021
2012515689.tif 000022
2012515689.tif 000023
2012515689.tif 000024
2012515689.tif 000025